(57)【特許請求の範囲】
【請求項１】
担架（１）の載置部は、上体載置部（２）と臀部載置部（３）と上腿載置部（４）と下腿載置部（５）とに四分割されてなり、前記載置部に取っ手穴（６）が開設され、前記載置部の下面であって前記取っ手穴（６）の周縁近傍部分には、前記取っ手穴（６）に差し込まれた親指を除く四本指のうちの少なくとも一本の指が前記載置部の裏面奥方向に深く進入しないよう進路を規制するとともに該指を前記載置部とその隣接部材との間に詰めないよう安全な位置に案内する防護材（１１）が設けられることを特徴とする入浴用担架。
【請求項２】
担架（１）の側部にサイドフェンス（２３）が立設され、該サイドフェンス（２３）の下部に設けられた被係止具（２４）は、前記担架（１）の側部に突設された係止具（２２）に回動可能に掛止され、前記被係止具（２４）は、前記係止具（２２）に相対して水平方向における一方向に移動させると回動自在の状態になり、水平方向における前記一方向と逆方向に移動させると回動不自在の状態になるものであって、前記被係止具（２４）を前記逆方向へ付勢し前記係止具（２２）への掛止状態を維持する付勢部材を前記被係止具（２４）で覆うように配置したことを特徴とする入浴用担架。
【請求項３】
担架（１）の下腿載置部（５）の両側部には前後方向にスリット（１３）が形成され、該各スリット（１３）を足受け（１２）の各脚が貫通し前記下腿載置部（５）の裏面に至り、前記各脚は前記裏面に前後方向に架設される各レール（１５）によって移動可能に支持されるとともに前記裏面の前後方向に形成される鋸歯状の段部に掛止する掛止爪（１９）が設けられ前記足受け（１２）を持ち上げると前記掛止爪（１９）の前記段部への掛止作用が解除されて前記足受け（１２）が下腿載置部（５）面に添って移動自在の状態になり、
前記足受け（１２）を放すと前記掛止爪（１９）による前記段部への掛止作用が機能して前記足受け（１２）が移動不自在の状態になることを特徴とする入浴用担架。
【発明の詳細な説明】
【０００１】
【発明の属する技術分野】
本発明は、介護入浴に使用されるもので、浴槽及び搬送車等に載置して、身体障害者や要介護老人等の入浴に用いる入浴用担架に関する。
【０００２】
【従来の技術】
従来技術には特許第２８８２７９０号公報があり、該公報には、担架本体と、サイドフェンスと、突起部、円形孔、矩形溝等とからなる回転継手と、係合部、移動面等とから構成される「担架」が開示される。
【０００３】
【発明が解決しようとする課題】
従来技術における担架は、頭載せ部を有する上体載置部と、腰載置部と、下腿載置部とに三分割されてなるものであるから、担架上の患者へ好適に添わないという難点がある。
【０００４】
又、担架の腰載置部と下腿載置部を立て膝形状に変更する時に、腰載置部と下腿載置部の連結部を持ち上げるが、その持ち上げ操作に大きな力を要するという難点がある。
【０００５】
更に、サイドフェンスの回転継手が、サイドフェンスの前後の二箇所に設けられているので、サイドフェンスの起・倒変更のための回動操作を片手で簡単に行なうことは困難であり不便であった。
又、担架を操作するための安全な取っ手穴が担架に形成されること、及び、移動操作が容易な足受けが担架に設けられることが要望されていた。
【０００６】
本発明の目的は、上記課題を解決したもので、入浴者に快適であって、容易に安全に操作できる入浴用担架を提供することにある。
【０００７】
【課題を解決するための手段】
即ち本発明は、担架（１）の載置部は、上体載置部（２）と臀部載置部（３）と上腿載置部（４）と下腿載置部（５）とに四分割されてなり、前記載置部に取っ手穴（６）が開設され、前記載置部の下面であって前記取っ手穴（６）の周縁近傍部分には、前記取っ手穴（６）に差し込まれた親指を除く四本指のうちの少なくとも一本の指が前記載置部の裏面奥方向に深く進入しないよう進路を規制するとともに該指を前記載置部とその隣接部材との間に詰めないよう安全な位置に案内する防護材（１１）が設けられることを特徴とする入浴用担架である。
又、担架（１）の側部にサイドフェンス（２３）が立設され、該サイドフェンス（２３）の下部に設けられた被係止具（２４）は、前記担架（１）の側部に突設された係止具（２２）に回動可能に掛止され、前記被係止具（２４）は、前記係止具（２２）に相対して水平方向における一方向に移動させると回動自在の状態になり、水平方向における前記一方向と逆方向に移動させると回動不自在の状態になるものであって、前記被係止具（２４）を前記逆方向へ付勢し前記係止具（２２）への掛止状態を維持する付勢部材を前記被係止具（２４）で覆うように配置したことを特徴とする入浴用担架である。
又、担架（１）の下腿載置部（５）の両側部には前後方向にスリット（１３）が形成され、該各スリット（１３）を足受け（１２）の各脚が貫通し前記下腿載置部（５）の裏面に至り、前記各脚は前記裏面に前後方向に架設される各レール（１５）によって移動可能に支持されるとともに前記裏面の前後方向に形成される鋸歯状の段部に掛止する掛止爪（１９）が設けられ、前記足受け（１２）を持ち上げると前記掛止爪（１９）の前記段部への掛止作用が解除されて前記足受け（１２）が下腿載置部（５）面に添って移動自在の状態になり、前記足受け（１２）を放すと前記掛止爪（１９）による前記段部への掛止作用が機能して前記足受け（１２）が移動不自在の状態になることを特徴とする入浴用担架である。
【０００８】
【発明の実施の形態】
担架１に入浴者を乗せ、担架１を搬送車（図示省略）から浴槽（図示省略）に移乗し、担架１を入浴作業に供する。
担架１を、上体を乗せる上体載置部２と、臀部を乗せる臀部載置部３と、上腿を乗せる上腿載置部４と、下腿を乗せる下腿載置部５とに四分割する。
前記載置部２の端部に開設される取っ手穴６を掴んで担架１を移動させ、又は、載置部を持ち上げる。
【０００９】
担架１に取っ手穴６が開設され、取っ手穴６に付随して設けられた防護材１１は、担架１を操作する際に差し込まれた介助者の指を保護する。

【００１０】
担架１の側部に立設されるサイドフェンス２３は、担架１上の入浴者が側方へはみ出し移動する動作を制止し転落を防ぐ。
担架１の側部に突設される係止具２２は、サイドフェンス２３の下部縁に設けられる被係止具２４を回動可能に掛止し、サイドフェンス２３を支持する。
【００１１】
サイドフェンス２３を、水平方向における一方向に移動させると係止具２２と被係止具２４の間の掛止作用が解除し、水平方向における逆方向に移動させると係止具２２と被係止具２４は掛止する。
通常は、被係止具２４は係止具２２に回動不自在の状態に掛止され、サイドフェンス２３は起立位置に固定している。
サイドフェンス２３を倒し垂下位置に変更する時には、サイドフェンス２３を移動させることによって、被係止具２４を係止具２２に相対して水平方向における一方向へ動かし掛止作用を解除し、回動自在の状態になす。
回動自在の状態下で、前記サイドフェンス２３を側方へ倒す様に回動し、起立位置から垂下位置に至らせる。
【００１２】
サイドフェンス２３を起立位置へ戻す時は、垂下位置から起立位置へ回動させサイドフェンス２３を水平方向における前記一方向とは逆方向に動かし、被係止具２４を係止具２２に掛止する。
【００１３】
担架１の下腿載置部５に設けられる足受け１２は、通常の放置状態では移動不自在であるが、足受け１２を持ち上げると移動自在の状態になる。足受け１２を持ち上げておいて、且つ、下腿載置部５面に添って移動し、入浴者の個体差に適応する位置へ設定する。設定後、当該位置で足受け１２を放せば移動不自在の状態になる。
【００１４】
【実施例】
図１乃至６に示す本発明の実施例に係る担架１は、入浴者を乗せるものであり、上体載置部２と臀部載置部３と上腿載置部４と下腿載置部５とに四分割されてなる。
【００１５】
担架１の前部（＝入浴者の頭が位置する側）に位置する上体載置部２の前端部に、担架１を操作する際に手を差し入れる取っ手穴６が開設される。取っ手穴６が開設された上体載置部２の縁は頭側取っ手７となる。
【００１６】
上体載置部２には枕８が前後方向に移動可能に取着される。即ち、上体載置部２に前後方向に長い穴でなる枕用スリット３２が開設され、枕８の裏部から下方に突設されたボルト３３が、前記スリット３２に貫通される。上体載置部２の裏側から前記ボルト３３に、枕用バネ３４を外嵌したうえ枕用バネ３４を押さえるナット３５が螺着される。（図５参照）
【００１７】
枕用バネ３４の伸展力により枕８の裏面は上体載置部２に摩擦し枕８が上体載置部２に止着される。枕８を上方に持ち上げながら前後方向に押せば枕８は前後方向に容易に移動できる。
【００１８】
担架１の中央部から下方向（＝入浴者の足が位置する方向）へ寄った位置に上腿載置部４が配設され、担架１の後部（＝入浴者の足が位置する部分）に下腿載置部５が配設される。上腿載置部４及び下腿載置部５のそれぞれの両側部に、上腿載置部４及び下腿載置部５を操作する際に手を差し入れる取っ手穴６が開設される。上腿載置部４及び下腿載置部５において、取っ手穴６が開設された部分の縁は、側部取っ手９となる。
載置部は、上体載置部２、臀部載置部３、上腿載置部４、下腿載置部５の順に並べて設けられ、各載置部は上面を傾斜可能に枠体１０に設けられる。
【００１９】
取っ手穴６の縁部には、差し入れた指が、担架１の裏部において、枠体１０、下腿載置部５、上腿載置部４、浴槽の架台（図示省略）、搬送車の載せ枠（図示省略）等の隣接物で詰められないように、前記指の進路を規制し過進入を防止する防護材１１が付随して形成取着される。（図２参照）
【００２０】
更に、下腿載置部５には、足受け１２が下腿載置部５面に添って移動可能に設けられる。該足受け１２は、通常状態では移動が不自在であるが、足受け１２を持ち上げると移動自在の状態になる。
【００２１】
下腿載置部５には、その両側部に前後方向にスリット１３が開設される。足受け１２は門形状に形成されその左右脚１２ａ・１２ｂの下部には、フランジ１７、及び、保持板１８が構成される。フランジ１７は下腿載置部５の上面に在り、左右脚１２ａ・１２ｂの下部は、スリット１３を貫通し下腿載置部５の裏部に至り、下端に保持板１８が取着される。（図４参照）
【００２２】
下腿載置部５の裏面には窪み１４が設けられ、窪み１４の前後縁に渡してレール１５が架設される。該窪み１４内に鋸歯様に形成される複数段部１６が設けられる。
【００２３】
保持板１８の前部に掛止爪１９が突設され、該保持板１８の前上部に小ローラー２０が設けられ、該保持板１８の後下部には大ローラー２１が設けられる。
掛止爪１９は、複数段部１６内の適宜段部１６ａに嵌まるものである。小ローラー２０は、レ−ル１５と下腿載置部５裏面との間にあって、レ−ル１５又は下腿載置部５裏面に摺動するものである。大ローラー２１はレ−ル１５に摺動するものである。小ローラー２０及び大ローラー２１は、足受け１２が前後に移動する時にレ−ル１５に当接し、足受け１２が円滑に前後方向に移動するように作用する。
【００２４】
足受け１２を持ち上げると、掛止爪１９が複数段部１６から離間され、足受け１２の下腿載置部５への掛止作用が解除される。足受け１２を放せば、掛止爪１９が複数段部１６に嵌まり、足受け１２は下腿載置部５へ掛止され移動不自在に固定される。
【００２５】
担架１の下部には、上体載置部２と臀部載置部３と上腿載置部４と下腿載置部５を支持する枠体１０が設けられる。
枠体１０に取着される係止具２２が、担架１の左右側部に、担架１の長尺方向に添って位置する。
【００２６】
前記係止具２２に、入浴者が側方向へはみ出す動作を制止するサイドフェンス２３が立設される。サイドフェンス２３の下部の前後部位にはそれぞれ被係止具２４が設けられ、上部の中央部位には取っ手穴６が開けられる。
被係止具２４は円筒２５でなり、係止具２２は軸２６でなり、前記円筒２５は、軸２６に回動可能に、軸２６に対して軸心方向に摺動可能に外嵌される。（図３参照）
【００２７】
軸２６には小突起物でなるキー２７が植設され、円筒２５にはキー２７が貫通される溝２８が開設される。
溝２８は回動溝部３０と係合溝部２９とからなり、回動溝部３０は、サイドフェンス２３を回動自在の状態になす長穴状の溝である。又、係合溝部２９は、回動溝部３０の端部に直角に曲折して一連に開設され、サイドフェンス２３を起立位置に固定するものである。
【００２８】
係合溝部２９にキー２７が嵌まっていた場合、サイドフェンス２３が後方向（＝入浴者の足位置の方向）に僅か移動すると、前記キー２７は係合溝部２９から外れ出て回動溝部３０に至る。
【００２９】
円筒２５はグラス容器形状をなしその底部内側と、軸の突端部との間に、円筒２５が軸２６から抜け出る方向（図３中左方向）に付勢するバネ３１が設けられる。該バネ３１は円筒２５で覆われているので、指や身体がバネ３１に当たって挟まれ怪我をする恐れはない。
【００３０】
尚、図１中、３６はマット、３７は握り手、図２中、３８はローラー、４１は支持具、４２は突っかい具、４３は下肢用段部、４４は調節ハンドル、４５は平板、図５中、３９はリクライニング解除ハンドル、４０はリクライニング段部、図６中、４６は載置部軸である。
【００３１】
実施例の使用状況を述べると、入浴に際し、先ず、サイドフェンス２３を垂下位置にしておいて、入浴者を担架１に乗せる。介助者は頭側取っ手７を掴んで、担架１を移動操作し、更に、持ち上げて上体載置部２をリクライニング姿勢に変更する。
側部取っ手９を掴んで、担架１を移動操作し、更に、下腿載置部５を持ち上げ、下腿載置部５の前部と、下腿載置部５の前部に連結される上腿載置部４の後部とを山形状になし、入浴者を立て膝状態になす。
下腿載置部５の後部は、枠体１０にロ−ラ−３８を介して可動状に載置される。
【００３２】
取っ手穴６に手を差し入れると、指は防護材１１にガイドされて過進入せず、そのため、指を下腿載置部５と枠体１０その他の部材間に詰める心配はない。
【００３３】
次に、サイドフェンス２３を回動させ、垂下位置から起立位置へ変更する。この変更操作を詳述すると、先ず、サイドフェンス２３を起立位置に回動させると円筒２５がバネ３１に付勢されて軸心方向（＝水平方向における逆方向）に摺動し、キー２７が係合溝部２９に入り、円筒２５は回動が不自在にロックされ、従って、サイドフェンス２３が起立位置に固定される。
サイドフェンス２３は、入浴者の各載置部からの食み出し及び転落を防止し安全を図る作用を有する。
【００３４】
次に、足受け１２を入浴者の足先の位置に合わせて移動する。足受け１２の移動操作を述べると、介助者は、足受け１２を持ち上げ、掛止爪１９を複数段部１６から離間させ掛止を解除し、足受け１２を好適位置へ前後移動させ、放す。足受け１２を放せば掛止爪１９が複数段部１６に嵌まり、足受け１２は掛止され移動不自在に固定する。
【００３５】
担架１へのセッティングが完了すると、担架１を搬送車から浴槽へ移乗し、続いて、浴槽を上昇させ担架１を湯に浸け、担架１上の入浴者へ入浴を施す。
他の例では、担架１を下降させ浴槽の湯に浸ける構成の場合もある。
【００３６】
脱浴時は、浴槽を下降させ、担架１を湯から出し、該担架１を架台から搬送車へ移乗する。清拭し、搬送車を所望の位置へ移動し、入浴者を療養ベッドへ降ろし、入浴を終了する。
【００３７】
上述の療養ベッドへの移乗の際、介助者は、サイドフェンス２３をバネ３１に抗して前方（＝水平方向における一方向）へ僅か摺動させる。摺動時に円筒２５は、バネ３１に抗して軸心方向に添って軸に被さる方向（図３中右方向）に動く。そして、キー２７が係合溝部２９から外れ回動溝部３０へ移動する。回動溝部３０は円筒２５の回動を許す長穴であるから、円筒２５は軸２６に対して回動自在状態になる。
サイドフェンス２３が軸２６に回動自在状態に支持された状態下で、サイドフェンス２３を起立姿勢から下方向へ垂れる垂下姿勢に変更する。
【００３８】
【発明の効果】
本発明は、担架１の載置部は、上体載置部２と臀部載置部３と上腿載置部４と下腿載置部５とに四分割されてなり、前記載置部に取っ手穴６が開設され、前記載置部の下面であって前記取っ手穴６の周縁近傍部分には、前記取っ手穴６に差し込まれた親指を除く四本指のうちの少なくとも一本の指が前記載置部の裏面奥方向に深く進入しないよう進路を規制するとともに該指を前記載置部とその隣接部材との間に詰めないよう安全な位置に案内する防護材１１が設けられるものである。
【００３９】
担架１は四分割にしたものであるから、入浴者に好適に添い、入浴者は姿勢が安定し楽であり、好都合である。又、臀部の重量は主に臀部載置部３に掛かり上腿載置部４と下腿載置部５に掛からないので、上腿載置部４と下腿載置部５の連結部分を持ちあげ山形状にする際に、取っ手穴６に手を差し込んで行なう下腿載置部５の持ち上げ操作が軽微な力で容易に行なえ、好都合である。
【００４０】
更に、担架１を操作する頭側取っ手７を担架１に取っ手穴６を開けることによって形成するので、担架１に取っ手部品を取着せず部品点数を節減でき、又、担架１に取っ手を付けないのでこれに係る突起物がなく入浴者が身体をぶつけ怪我をするといった事態が生ぜず、安全であり、好都合である。
【００４１】
更に、担架１に開設される取っ手穴６に、差し込まれた指を保護する防護材１１が設けられるので、指が担架１の裏面に深く進入することを阻止し指を安全な位置に案内するので、安心して、担架１を移動操作でき及び下腿載置部５を持ち上げ操作できる。指が危険な位置へ入る心配がなく、安全であり、好都合である。
【００４２】
本発明は、担架１の側部にサイドフェンス２３が立設され、該サイドフェンス２３の下部に設けられた被係止具２４は、前記担架１の側部に突設された係止具２２に回動可能に掛止され、前記被係止具２４は、前記係止具２２に相対して水平方向における一方向に移動させると回動自在の状態になり、水平方向における前記一方向と逆方向に移動させると回動不自在の状態になるものであって、前記被係止具２４を前記逆方向へ付勢し前記係止具２２への掛止状態を維持する付勢部材を前記被係止具２４で覆うように配置したものであるから、サイドフェンス２３の起立位置から垂下位置への変更が片手でも容易に行なえ、便利であり、好都合である。又、サイドフェンス２３の被係止具２４は、担架１の側部の係止具２２に相対して水平方向における逆方向に動かすと回動不自在の状態になるので、サイドフェンス２３の垂下位置から起立位置への変更及び掛止が片手でも容易に行なえ、便利であり、好都合である。又、付勢部材（バネ）が被係止具で覆われているので、指や身体が付勢部材に当たって挟まれ怪我をする恐れはない。
【００４３】
本発明は、担架１の下腿載置部５の両側部には前後方向にスリット１３が形成され、該各スリット１３を足受け１２の各脚が貫通し前記下腿載置部５の裏面に至り、前記各脚は前記裏面に前後方向に架設される各レール（１５）によって移動可能に支持されるとともに前記裏面の前後方向に形成される鋸歯状の段部に掛止する掛止爪（１９）が設けられ、前記足受け１２を持ち上げると前記掛止爪１９の前記段部への掛止作用が解除されて前記足受け１２が下腿載置部５面に添って移動自在の状態になり、前記足受け１２を放すと前記掛止爪１９による前記段部への掛止作用が機能して前記足受け１２が移動不自在の状態になるものであるから、入浴者の個体差に合わせた足受け１２の位置変更・固定が、簡単な操作、軽微な力で出来、又、入浴者をより一層安定に支持でき不安を与えず安心して入浴させることが出来、好都合である。
【図面の簡単な説明】
【図１】本発明の実施例の平面図である。
【図２】図１のＡ−Ａ矢視断面図である。
【図３】本発明の実施例に係るサイドフェンスの係止部を示す底面から見た斜視図である。
【図４】本発明の実施例に係る足受けを示す断面図である。
【図５】本発明の実施例に係る枕を示す断面図である。
【図６】本発明の実施例の側面図である。
【符号の説明】
１    担架
２    上体載置部
３    臀部載置部
４    上腿載置部
５    下腿載置部
６    取っ手穴
１２    足受け
２２    係止具
２３    サイドフェンス
２４    被係止具
【図１】
0003979754.tif 000002
【図２】
0003979754.tif 000003
【図３】
0003979754.tif 000004
【図４】
0003979754.tif 000005
【図５】
0003979754.tif 000006
【図６】
0003979754.tif 000007